(57)【要約】【課題】配電設備の様子やその周辺の様子を容易に確認できるようにする。【解決手段】地図情報データに基づいて地図画像を表示し、表示中の地図画像の配電設備が存在する位置にその配電設備を示す図形を表示し、表示中の地図画像に存在する撮影位置データに対応する位置に、その位置が撮影位置であることを示す図形を表示し、入力装置から撮影位置を受け付けて、設備写真データに基づいて、受け付けた撮影位置に対応する写真データに基づく設備写真の画像を前記表示装置に表示するようにする。【選択図】  図６
2006126380.tif 000002
【特許請求の範囲】
【請求項１】
ＣＰＵ、メモリ、入力装置、及び表示装置を有するコンピュータを用いて構成される配電設備管理支援システムであって、
位置情報と地図データとを対応づけた地図情報データと、
配電設備を特定する設備ＩＤとその設置されている位置を示す位置情報とを対応づけた設備位置データと、
前記設備ＩＤ、前記配電設備を撮影した画像データである写真データ、及びその撮影位置を示す撮影位置データを対応づけたデータである設備写真データと、
を記憶し、
前記ＣＰＵが前記メモリに記憶されているプログラムを実行することにより実現される地図表示部、配電設備表示部、写真表示部を有し、
前記地図表示部は、前記表示装置に前記地図情報データに基づいて地図画像を表示し、
前記配電設備表示部は、前記設備位置データに基づいて、表示中の前記地図画像の前記配電設備が存在する位置にその配電設備を示す図形を表示し、
前記写真表示部は、前記設備写真データに基づいて、表示中の前記地図画像に存在する前記撮影位置データに対応する位置に、その位置が撮影位置であることを示す図形を表示し、
前記写真表示部は、撮影位置であることを示す前記図形を指定させることにより撮影位置の指定を受け付けて、前記設備写真データに基づいて、受け付けた前記撮影位置に対応する前記写真データに基づく写真の画像を前記表示装置に表示すること
を特徴とする配電設備管理支援システム。
【請求項２】
請求項１に記載の配電設備管理支援システムであって、
前記写真表示部は、前記入力装置から前記設備写真の画像を拡大又は縮小する旨の操作入力を受け付けると、前記写真データを拡大又は縮小した画像を前記表示装置に表示すること
を特徴とする配電設備管理支援システム。
【請求項３】
請求項１または２に記載の配電設備管理支援システムであって、
前記写真表示部は、前記入力装置から前記写真データを保存する旨の指示を受け付けて、前記写真データを記録したファイルを前記入力装置により指定された記憶装置に書き出すこと
を特徴とする配電設備管理支援システム。
【請求項４】
ＣＰＵ、メモリ、入力装置、及び表示装置を有するコンピュータに、
前記表示装置に位置情報と地図データとを対応づけた地図情報データに基づいて地図画像を表示する機能と、
位置情報と地図データとを対応づけた地図情報データと、配電設備を特定する設備ＩＤとその設置されている位置を示す位置情報とを対応づけた設備位置データに基づいて、表示中の前記地図画像の前記配電設備が存在する位置にその配電設備を示す図形を表示する機能と、
前記設備ＩＤ、前記配電設備を撮影した画像データである写真データ、及びその撮影位置を示す撮影位置データを対応づけたデータである設備写真データに基づいて、表示中の前記地図画像に存在する前記撮影位置データに対応する位置に、その位置が撮影位置であることを示す図形を表示する機能と、
前記入力装置から撮影位置を受け付けて、前記設備写真データに基づいて、受け付けた前記撮影位置に対応する前記写真データに基づく設備写真の画像を前記表示装置に表示する機能と
を実現するためのプログラム。
【請求項５】
請求項４に記載のプログラムであって、
前記入力装置から前記設備写真の画像を拡大又は縮小する旨の操作入力を受け付けて、前記写真データを拡大又は縮小した画像を前記表示装置に表示させる機能を前記コンピュータに実現させるプログラムを含むこと
を特徴とするプログラム。
【請求項６】
請求項４または５に記載のプログラムであって、
前記入力装置から前記写真データを保存する旨の指示を受け付けて、前記写真データを記録したファイルを前記入力装置により指定された記憶装置に書き出す機能を前記コンピュータに実現させるプログラムを含むこと
を特徴とする配電設備管理支援システム。
【発明の詳細な説明】
【技術分野】
【０００１】
この発明は、配電設備管理支援システム及びプログラムに関し、とくに配電設備の様子やその周辺の様子を容易に確認できるようにするための技術に関する。
【背景技術】
【０００２】
架空線工事等における柱上設備の設計を行う場合には、電柱の装柱状態や周辺状況の確認を行う必要がある。従来、架空線工事の設計に際しては、設計者等が現地に出向いて写真を撮影するなどして装柱状態を確認していた。
【特許文献１】特開平１０−１２３９２６号公報
【発明の開示】
【発明が解決しようとする課題】
【０００３】
従来のように設計の都度、現地に出向いていたのでは、設計者等にかかる負担（労力、時間、コスト等）が大きい。また過去に撮影した写真を利用して装柱状態の確認に役立てることはできるが、一般に電力会社が管轄する電柱の数は膨大であって、各電柱についての写真の管理が煩雑となる。またこの場合、設計者等は、電柱の装柱状態やその周辺状況を把握するには写真と地図を交互に眺めては撮影場所や撮影方向を特定していくという面倒な作業を強いられる。なお、特許文献１には、３次元柱のイメージとともに設備写真イメージを表示する技術に関しての記載があるが、設備写真イメージの管理や撮影場所や撮影方向に関する技術を開示するものではない。
【０００４】
本発明はこのような事情に鑑みてなされたもので、配電設備の様子やその周辺の様子を容易に確認することができる配電設備管理支援システムを提供することを目的とする。
【課題を解決するための手段】
【０００５】
上記目的を達成するための本発明のうちの第１の請求項に記載の発明は、ＣＰＵ、メモリ、入力装置、及び表示装置を有するコンピュータを用いて構成される配電設備管理支援システムであって、位置情報と地図データとを対応づけた地図情報データと、配電設備を特定する設備ＩＤとその設置されている位置を示す位置情報とを対応づけた設備位置データと、前記設備ＩＤ、前記配電設備を撮影した画像データである写真データ、及びその撮影位置を示す撮影位置データを対応づけたデータである設備写真データと、を記憶し、前記ＣＰＵが前記メモリに記憶されているプログラムを実行することにより実現される地図表示部、配電設備表示部、写真表示部を有し、前記地図表示部は、前記表示装置に前記地図情報データに基づいて地図画像を表示し、前記配電設備表示部は、前記設備位置データに基づいて、表示中の前記地図画像の前記配電設備が存在する位置にその配電設備を示す図形を表示し、前記写真表示部は、前記設備写真データに基づいて、表示中の前記地図画像に存在する前記撮影位置データに対応する位置に、その位置が撮影位置であることを示す図形を表示し、前記写真表示部は、前記入力装置から撮影位置を受け付けて、前記設備写真データに基づいて、受け付けた前記撮影位置に対応する前記写真データに基づく設備写真の画像を前記表示装置に表示することとする。
【０００６】
この発明によれば、地図画像の配電設備が存在する位置に、その配電設備を示す図形が表示され、また地図画像の所定位置にその位置が撮影位置であることを示す図形が表示される。このため、ユーザは写真の画像が撮影された位置が地図上のどの位置であるのかを視覚的に一目瞭然に把握することができる。またユーザは、撮影位置であることを示す図形を指定することによりその撮影位置に対応する写真の画像を参照することができる。このため、ユーザは、配電設備の様子やその周辺の様子を容易に確認することができる
本発明の第２の請求項に記載の発明は、請求項１に記載の配電設備管理支援システムであって、前記写真表示部は、前記入力装置から前記設備写真の画像を拡大又は縮小する旨の操作入力を受け付けると、前記写真データを拡大又は縮小した画像を前記表示装置に表示することとする。
【０００７】
この発明によれば、ユーザは配電設備の詳細や外観等、視点を変えて参照することができる。このため、ユーザは、配電設備の細かい部分の様子や、配電設備の設置場所周辺の様子等、配電設備に関する様々な情報を効率よく取得することができる。
【０００８】
本発明の第３の請求項に記載の発明は、請求項１または２に記載の配電設備管理支援システムであって、前記写真表示部は、前記入力装置から前記写真データを保存する旨の指示を受け付けて、前記写真データを記録したファイルを前記入力装置により指定された記憶装置に書き出すこととする。
【０００９】
この発明によれば、ユーザは配電設備の写真データを記録したファイルを適宜記憶装置に書き出すことができる。これによりユーザはこの機能を利用して配電線の故障修理等、写真データを多目的に有効に利用することができる。
【００１０】
また本発明の第４の請求項に記載の発明は、プログラムであって、ＣＰＵ、メモリ、入力装置、及び表示装置を有するコンピュータに、前記表示装置に位置情報と地図データとを対応づけた地図情報データに基づいて地図画像を表示する機能と、位置情報と地図データとを対応づけた地図情報データと、配電設備を特定する設備ＩＤとその設置されている位置を示す位置情報とを対応づけた設備位置データに基づいて、表示中の前記地図画像の前記配電設備が存在する位置にその配電設備を示す図形を表示する機能と、前記設備ＩＤ、前記配電設備を撮影した画像データである写真データ、及びその撮影位置を示す撮影位置データを対応づけたデータである設備写真データに基づいて、表示中の前記地図画像に存在する前記撮影位置データに対応する位置に、その位置が撮影位置であることを示す図形を表示する機能と、前記入力装置から撮影位置を受け付けて、前記設備写真データに基づいて、受け付けた前記撮影位置に対応する前記写真データに基づく設備写真の画像を前記表示装置に表示する機能とを実現するものである。
【００１１】
また本発明の第５の請求項に記載の発明は、請求項４に記載のプログラムであって、前記入力装置から前記設備写真の画像を拡大又は縮小する旨の操作入力を受け付けて、前記写真データを拡大又は縮小した画像を前記表示装置に表示させる機能を前記コンピュータに実現させるプログラムを含むこととする。
【００１２】
また本発明の第６の請求項に記載の発明は、請求項４または５に記載のプログラムであって、前記入力装置から前記写真データを保存する旨の指示を受け付けて、前記写真データを記録したファイルを前記入力装置により指定された記憶装置に書き出す機能を前記コンピュータに実現させるプログラムを含むこととする。
【発明の効果】
【００１３】
本発明によれば、配電設備の様子やその周辺の様子を容易に確認することができる。
【発明を実施するための最良の形態】
【００１４】
以下、本発明の一実施形態にかかる配電設備管理支援システム１について説明する。  
本実施形態の配電設備管理支援システム１は、パーソナルコンピュータやオフコン、汎用機等のコンピュータを用いて実現されている。図１はそのようなコンピュータの一例である。同図に示すコンピュータ１０は、ＣＰＵ１１、ＲＡＭ・ＲＯＭ等のメモリ１２、ハードディスク１３、キーボードやマウス等の入力装置１４、ディスプレイ等の表示装置１５、ＬＡＮ（Local Area Network）やＷＡＮ（Wide Area Network）等の通信ネットワークを通じて通信を行うための通信インタフェース１６を備えて構成されている。
【００１５】
図２は配電設備管理支援システム１を実現しているソフトウエアである。図２に示すように、配電設備管理支援システム１は、コンピュータ１０において動作するデータベース（地図情報データベース２１，設備位置データベース２２，写真情報データベース２３）と、コンピュータ１０において実行されるソフトウエアによって実現される各種の機能（地図表示部２４、配電設備表示部２５、写真表示部２６）とによって実現されている。なお、コンピュータ１０では、これらのソフトウエア以外にも、柱上設備の設計を支援するためのＣＡＤ（Computer Aided Design）ソフトや架空線の接続構成を設計するためのツール等が動作している。
【００１６】
上記データベースのうち地図情報データベース２１には、図３Ａに示すデータ構造からなる地図情報データ３１０が格納されている。同図に示すように、地図情報データ３１０には、位置（緯度、経度）を示す位置データ３１１と、位置データ３１１に対応づけられたラスター型式又はベクター型式の地図画像のデータである地図データ３１２とが含まれている。
【００１７】
設備位置データベース２２には、図３Ｂに示すデータ構造からなる設備位置データ３２０が格納されている。同図に示すように、設備データ３２０には、電柱や架線等の配電設備を示す識別子である設備ＩＤ３２１と、配電設備の設置場所を示す位置情報（緯度、経度）３２２とが含まれている。
【００１８】
写真情報データベース２３には、図３Ｃに示すデータ構造からなる設備写真データ３３０が格納されている。同図に示すように、設備写真データ３３０には、配電設備の設備ＩＤ３３１と、配電設備を撮影した写真（これは例えば電柱の装柱状態を撮影した写真である。以下、この写真を設備写真と称する）の画像データ（以下、写真データ３３２と称する）と、その撮影位置（緯度、経度）を示すデータ（以下、撮影位置データ３３３と称する）とが含まれている。写真データ３３２は、例えば工事や点検の際に現場において撮影されたものであり、例えばデジタルカメラで撮影され、デジタルカメラからＵＳＢ（Universal Serial Bus）ケーブルや記録メディア等のインタフェースを介してコンピュータ１０に取り込まれて所定フォーマット型式のファイルとしてハーディスクドライブ１３に記憶されている。
【００１９】
なお、撮影位置データ３３３は、例えば写真データの取り込み時に写真データ３３２とともにユーザの操作入力等によってコンピュータ１０に取り込まれる。また写真データ３３２や撮影位置データ３３３は、このようにコンピュータ１０に直接的に入力されるのみならず、カメラ機能とＧＰＳ機能を有するノート型パソコンやＰＤＡ等によって現場において入力されてインターネット等の通信ネットワークを経由して送信されてくるなど、様々な態様でコンピュータ１０に取り込まれる。
【００２０】
次に図４Ａ及び図４Ｂに示すフローチャートとともに配電設備管理支援システム１によって行われる処理を説明する。図４Ａに示すように、地図表示部２４は、まず地図情報データベース２１から地図情報データ３１０を読み出す（Ｓ４１１）。そして読み出した地図情報データ３１０に基づいて表示装置１５に地図画像を表示する（Ｓ４１２）。なお、地図情報データ３１０の読み出しは、例えばユーザの操作入力に応じて適宜なタイミングで行われる。一方、配電設備表示部２５は、上記地図画像を表示するための処理に連動し、表示中の地図画像に対応する地域内の位置情報３２１を有する設備位置データ３２０を設備位置データベース２２から検索する（Ｓ４１３）。そして配電設備表示部２５は、検索された設備位置データ３２０の位置情報３２１に対応する表示中の地図画像上の該当位置に、設備ＩＤ３２１に対応づけて記憶している図形（以下、配電設備表示図形と称する）を表示する（Ｓ４１４）。この時点で表示装置１５に表示される画面の一例を図５に示している。同図において、配電設備表示図形は符号５１１で示している。
【００２１】
また写真表示部２６は、上記図形の表示に連動し、上記設備ＩＤ３２１を有する設備写真データ３３０を写真情報データベース２３から検索し（Ｓ４１５）、検索された設備写真データ３３０の撮影位置データ３３３に対応する表示中の地図画像上の該当位置に、その位置が撮影位置であることを示す図形（以下、撮影位置表示図形と称する）を表示する（Ｓ４１６）。図５において、撮影位置表示図形は撮影方向を示す矢印（符号５１２）である。なお、上記矢印５１２の向きは、設備位置データ３２０の位置データ３２２と、設備写真データ３３０の撮影位置データ３３３とによって求められる。
【００２２】
写真表示部２６は、ユーザからの操作入力に応じて、写真撮影位置表示図形の表示／非表示を切り替える。また写真表示部２６は、ユーザの操作入力に応じて、撮影位置表示図形の近傍に夫々の被写体である配電設備の設備ＩＤを表示する。
【００２３】
次に図５に示す状態で、撮影位置表示図形が表示されている部分（撮影位置）が、ユーザの入力装置１４に対する操作入力によって指定（クリック）されると（Ｓ４１７：ＹＥＳ）、写真表示部２６は、その撮影位置に対応する撮影位置データ３３３を有する設備写真データ３３０を写真情報データベース２３から検索し（Ｓ４１８）、検索された設備写真データ３３０の写真データ３３２に基づく設備写真の画像を表示装置１５に表示する（Ｓ４１９）。
【００２４】
図６に表示装置１５に設備写真の画像が表示されている状態の一例を示している。同図に示すように、設備写真の画像は、地図画像が表示されているウィンドウとは別のウィンドウ（以下、写真ウィンドウ６１０と称する）に表示されている。なお、指定（クリック）された配電設備について複数の設備写真データ３３０が存在する場合（すなわち、同じ撮影位置データ３３３を有する設備写真データ３３０が複数存在する場合）には、それらの設備写真データ３３０の写真データ３３２に基づく全ての設備写真の画像が、写真ウィンドウ６１０内に一覧的に並べられて表示される。なお、この場合、設備写真の画像は、例えば撮影日時をキーとしてソートされた状態で表示される。また設備写真の画像には、撮影日時や撮影者、撮影したカメラ、撮影時の倍率等の属性情報も併せて表示される（図中省略）。
【００２５】
次に、ユーザが写真ウィンドウ６１０に表示されている設備写真の一つをクリックし、さらに写真ウィンドウ６１０の下部に設けられている拡大ボタン６１１をクリックすると（Ｓ４２０）、写真表示部２６は、設備写真の拡大画像を記載したウィンドウ形式の画面（以下、拡大表示画面と称する）を表示する（Ｓ４２１）。
【００２６】
図７に表示装置１５に上記拡大表示画面７１０が表示されている様子を示している。ここで拡大表示画面７１０に設けられている拡大ボタン７１１又は縮小ボタン７１２がクリックされると（Ｓ４２２：ＹＥＳ）、写真表示部２６は、拡大表示画面７１０に表示されている設備写真の画像を拡大又は縮小して表示し直す（Ｓ４２３）。ここでこの拡大又は縮小は、拡大ボタン７１１又は縮小ボタン７１２がクリックされるごとに段階的に行われる。この機能を利用することで、ユーザは配電設備の細かい部分の様子や、配電設備の設置場所周辺の様子等、配電設備に関する様々な情報を効率よく取得することができる。
【００２７】
拡大表示画面７１０に表示されている設備写真に対応する写真データは、所定フォーマットの画像ファイルとしてフラッシュメモリ等の可搬型の記録メディアやハードディスク１３等の記憶装置に書き出すことができる。写真データを書き出す場合は、拡大表示画面７１０の上部に設けられている保存指示ボタン７１３をクリックする。写真表示部２６は、保存指示ボタン７１３がクリックされると（Ｓ４２４：ＹＥＳ）、画像の保存先を指定する画面（以下、保存先指定画面８１０と称する）を表示する（Ｓ４２５）。
【００２８】
図８に表示装置１５に保存先指定画面８１０が表示されている様子を示している。保存先指定画面８１０において、ユーザは入力装置１４に対する操作入力を行って、写真データを可搬型の記録メディアに書き出すのか、それとも指定したパスに書き出すのかを指定する。可搬型の記録メディアに書き出す旨の指定をした場合には、さらに記録メディアの指定欄８１１に記録メディアを指定する。一方、指定したパスに設備写真を書き出す旨の指定をした場合には、パス指定欄８１２にパス名を直接入力するか、「参照」ボタン８１３をクリックして図９に示すフォルダ選択画面９１０を表示させ、フォルダ選択画面９１０に保存先となるパスを指定する。そして、以上の指定がされた後、保存先指定画面８１０の「ＯＫ」ボタン８１４がクリックされると（Ｓ４２６：ＹＥＳ）、写真表示部２６は、写真データを記録したファイルを指定されている保存先に書き出す（Ｓ４２７）。
【００２９】
このように本実施形態の配電設備管理支援システム１によれば、写真データを記録したファイルを可搬型記録メディアやハードディスク１３に容易に書き出すことができる。そしてユーザは、この機能を利用して、配電線の故障修理等、写真データを多目的に有効に利用することができる。
【００３０】
以上に説明したように、本発明の配電設備管理支援システム１によれば、配電設備の状態やその周辺の様子を机上で簡単に確認することができる。従って設計者等は配電設備の状態確認や周辺の様子を確認するためにわざわざ現地に出向く必要が無くなり、労力、時間、コスト等の負担が軽減される。また配電設備管理支援システム１によれば、写真の撮影位置を一目で把握することができるので、電柱の装柱状態や周辺状況の確認等、配電設備の設計や管理に必要な情報を容易かつ迅速に得ることができる。
【００３１】
なお、以上の実施形態の説明は本発明の理解を容易にするためのものであり、本発明を限定するものではない。本発明はその趣旨を逸脱することなく、変更、改良され得ると共に本発明にはその等価物が含まれることは勿論である。
【図面の簡単な説明】
【００３２】
【図１】本発明の一実施形態による配電設備管理支援システム１に用いられるコンピュータのハードウエア構成を示す図である。
【図２】本発明の一実施形態による配電設備管理支援システム１を実現しているソフトウエアを示す図である。
【図３Ａ】本発明の一実施形態による地図情報データ３１０のデータ構造を示す図である。
【図３Ｂ】本発明の一実施形態による設備位置データ３２０のデータ構造を示す図である。
【図３Ｃ】本発明の一実施形態による設備写真データ３３０のデータ構造を示す図である。
【図４Ａ】本発明の一実施形態による配電設備管理支援システム１によって行われる処理を説明するフローチャートである。
【図４Ｂ】本発明の一実施形態による配電設備管理支援システム１によって行われる処理を説明するフローチャートである。
【図５】本発明の一実施形態による写真表示部２６が表示装置１５に表示する画面を示す図である。
【図６】本発明の一実施形態による写真表示部２６が表示装置１５に表示する画面を示す図である。
【図７】本発明の一実施形態による写真表示部２６が表示装置１５に表示する画面を示す図である。
【図８】本発明の一実施形態による写真表示部２６が表示装置１５に表示する画面を示す図である。
【図９】本発明の一実施形態による写真表示部２６が表示装置１５に表示する画面を示す図である。
【符号の説明】
【００３３】
１  配電設備管理支援システム        １０  コンピュータ
２１  地図情報データベース          ２２  設備位置データベース
２３  写真情報データベース          ２４  地図表示部
２５  配電設備表示部                ２６  写真表示部
３１０  地図情報データ              ３１１  位置情報
３１２  地図データ                  ３２０  設備位置データ
３２１  設備ＩＤ                    ３２２  位置情報
３３０  設備写真データ              ３３１  設備ＩＤ
３３２  写真データ                  ３３３  撮影位置データ
５１１  配電設備表示図形            ５１２  撮影位置表示図形
【図１】
2006126380.tif 000003
【図２】
2006126380.tif 000004
【図３Ａ】
2006126380.tif 000005
【図３Ｂ】
2006126380.tif 000006
【図３Ｃ】
2006126380.tif 000007
【図４Ａ】
2006126380.tif 000008
【図４Ｂ】
2006126380.tif 000009
【図９】
2006126380.tif 000010
【図５】
2006126380.tif 000011
【図６】
2006126380.tif 000012
【図７】
2006126380.tif 000013
【図８】
2006126380.tif 000014